(57)【要約】      （修正有）【課題】梯子・脚立類の脚に取り付けた装置で、しばしば発生する転倒の防止効果を大幅にアップさせることが出来る梯子・脚立類の転倒防止装置を提供する。【解決手段】高所で作業する際に使用する梯子・脚立１類の脚３を地面６に横滑りすることなく安定して接地させることが出来る転倒防止装置において、脚は連続した穴を有する中空パイプで構成すると共に、その下端には外径を大きくしたツバを備え、脚の下端部側面には縦溝と縦溝上端に形成した横溝から成るＬ形溝を有し、Ｌ形溝は穴に貫通し、突き刺し具２を脚の穴にスライド可能に嵌め、突き刺し具に設けたネジ穴に螺合して取付けた操作部はＬ形溝に嵌って外方向へ延び、操作部が横溝に嵌るならば突き刺し具のスライドは出来なくなって、その先端が脚下端から突出することがないようにする。【選択図】図１
0003218359.tif 000002
【実用新案登録請求の範囲】
【請求項１】
高所で作業する際に使用する梯子・脚立類であって、その脚を地面に横滑りすることなく安定して接地させることが出来る転倒防止装置において、脚は連続した穴を有す中空パイプで構成すると共に、その下端には外径を大きくしたツバを備え、脚の下端部側面には縦溝と該縦溝上端に形成した横溝から成るＬ形溝を有し、該Ｌ形溝は上記穴に貫通し、突き刺し具を脚の穴にスライド可能に嵌め、突き刺し具に設けたネジ穴に螺合して取付けた操作部は上記Ｌ形溝に嵌って外方向へ延び、上記操作部が横溝に嵌るならば突き刺し具のスライドは出来なくなって、その先端が脚下端から突出することがないようにしたことを特徴とする梯子・脚立類の転倒防止装置。
【考案の詳細な説明】
【技術分野】
【０００１】
本考案は梯子・脚立類が転倒しないように構成した転倒防止装置に関するものである。
【背景技術】
【０００２】
梯子は、建造物や樹木などに寄りかけて脚の下端を地面に置いて使用する。また脚立は、両脚を逆Ｖ字型に開いて脚の下端を地面に置いて使用するような構成と成っている。
【０００３】
一方、三脚タイプの脚立は、梯子とそれを支えるポールの組み合わせで構成されており、同じ様に逆Ｖ字型に広げて、梯子とポールの脚の下端を地面に置いて使用することが出来る。
【０００４】
本来は、梯子・脚立類を置く場所は、平坦で滑りにくい安定した接地面が理想であるが、現実の作業の際には平坦でなかったり、滑りやすい状態であることが多く存在する。
【０００５】
特に三脚タイプの脚立の場合は、樹木の剪定や雪吊り作業など、起伏のある庭などでの使用が殆どである。
【０００６】
これまでの梯子・脚立類は、転倒防止のため滑り止めや安定化のための対策案が色々工夫されて来たが、転倒防止を簡易に実現する効果は得られていない。
【０００７】
従来、転倒防止効果を狙った安全装置として、補助具を装着するタイプのものが提案されている。例えば登録実用新案第３１１１３０６号に依る「植木の整枝・剪定用脚立」は、着脱自在の補助脚を取り付けることによって転倒を防止出来るようにしている。
【０００８】
また登録実用新案第３１２６５８６号に依る「脚立用踏み台」は、脚立の一つの踏み桟に装着する脚立用踏み台を装備し、また踏み桟と係合可能な係合部とを備えたもので、安全効果を高めることが出来る。
ところで、上記従来の転倒防止効果の機能を持つ梯子・脚立類は、転倒防止のための補助装置を用意して、使用の際はその補助装置を本体に取り付けなければならない。そこで取り付け作業の煩わしさや、その補助装置を一緒に持ち運ばなければならないと言う問題がある。
【特許文献１】登録実用新案第３１１１３０６号に依る「植木の整枝・剪定用脚立」
【特許文献２】登録実用新案第３１２６５８６号に依る「脚立用踏み台」
【考案の開示】
【考案が解決しようとする課題】
【０００９】
このように、従来の転倒防止を目的とした梯子・脚立類には上記のごとき問題がある。  本考案が解決しようとする課題はこの問題点であって、梯子・脚立類とその脚に取り付けた装置で構成し、転倒防止効果を大幅にアップさせることが出来る梯子・脚立類を提供する。
【課題を解決するための手段】
【００１０】
本考案は、梯子・脚立類の脚の部分に取り付けた装置を使用することに依り、転倒防止効果を得ることが出来るように構成したものである。従来の梯子・脚立類とは異なり、転倒防止のための補助装置を携行したり、またそれを取り付ける作業をしなくとも済むように構成している。すなわち、梯子・脚立類はその脚の下端部に地面に突き刺すことが出来る「突き刺し具」を取り付けており、該突き刺し具は脚に沿ってスライド出来るように構成している。そこで突き刺し具の先端（下端）は地面に刺さるように尖っている。そして突き刺し具の側部に操作部を設けていて、その操作部を下方へ押圧して突き刺し具を地面に突き刺すことが出来るようにしている。
【考案の効果】
【００１１】
梯子・脚立類の脚を地面に置き、突き刺し具を地面に突き刺すだけのもので、非常に簡単な手順で転倒防止効果を大幅に向上させることが出来る。
【００１２】
梯子・脚立類を移動させたり片付けたりする場合には、本体を上に引き上げることで突き刺し具は簡単に地面から抜けるため転倒防止装置解除の手間がかからない。
【００１３】
全ての脚が土の上に載置される場合はもちろん、梯子・脚立類の片方の脚が土の上で、もう片方の脚が石やコンクリート面の上になる場合でも、土の上に載置される脚の転倒防止装置を使用することで効果は非常に大である。
【００１４】
このように使用環境の状態に応じて、取り付けてある転倒防止装置をひとつだけ使用したり、ふたつ使用したり、使い分けることで安全確保を図ることが可能である。
【図面の簡単な説明】
【００１５】
【図１】本考案の梯子・脚立類の転倒防止装置を地面に突き刺した状態の断面図。
【図２】本考案の梯子・脚立類の転倒防止装置の突き刺し具を取り付ける脚部分の図。
【図３】本考案の梯子・脚立類の転倒防止装置の突き刺し具の図。
【考案を実施するための形態】
【００１６】
図１は、本考案の実施例を示しており、同図の（１）は脚立、（２）は突き刺し具を表わしている。脚立（１）は両側に脚（３），（３）を有し、両脚（３），（３）の間には踏み桟（４），（４）が掛架している。同図は脚立（１）の正面図であり、複数本の水平な上記踏み桟（４），（４）の両先端は両脚（３），（３）と連結して片方の脚体（５）が構成され、脚立（１）はこの両脚体（５），（５）の上端が互いに連結して逆Ｖ形を成している。
作業者は両脚体（５），（５）を適当な角度に開いて逆Ｖ形とし、脚体（５）を構成する両脚（３），（３）の下端は地面（６）の上に載置される。
この場合、地面（６）の上に載置しただけの脚（３），（３）は安定性が欠ける為に、本考案では脚（３），（３）の下端に上記突き刺し具（２），（２）を取り付け、この突き刺し具（２），（２）を地面（６）に突き刺している。
その為に脚（３），（３）の横滑りはなく、脚立（１）は安定して起立することが出来る。
【００１７】
図２は上記脚立（１）を構成している脚（３）の下端部を表わしている。脚（３）の下端にはツバ（７）を設けて地面（６）との接地面積を大きくしており、脚（３）は連続した穴（８）を長手方向に形成してしている。すなわち、脚（３）は中空パイプで構成し、その下端に外径を大きくした上記ツバ（７）を取り付けている。
そして、脚（３）の側面には縦溝（９）と横溝（１０）から成るＬ形溝（１１）を有し、上記Ｌ形溝は上記穴（８）に貫通している。
【００１８】
図３は突き刺し具（２）を示す具体例である。この突き刺し具（２）は先端（下端）が尖った円形断面の棒材であり、上記脚（３）の穴（８）に嵌めることが出来る。しかもガタ付くことがない寸法公差とし、脚（３）の穴（８）に沿って上下方向にスライド可能としている。そして、突き刺し具（２）の側面から操作部（１２）が外方向へ延びており、該操作部（１２）は突き刺し具（２）に設けたネジ穴に螺合して取り付けられている。
【００１９】
ところで、突き刺し具（２）は脚（３）の下端から穴（８）に嵌まり、上記操作部（１２）はＬ形溝（１１）に遊嵌することが出来る。勿論、操作部（１２）を取り付けた状態では突き刺し具（２）を穴（８）に嵌めることは出来ない為に、穴（８）に嵌った状態の突き刺し具（２）のネジ穴に操作部（１２）のネジ部を螺合して取り付けることが出来る。
【００２０】
ここで操作部（１２）は縦溝（９）に沿ってスライドするならば突き刺し具（２）は穴（８）をスライドして脚（３）の下端からその先端が出没するようになる。そして、操作部（１２）が横溝（１０）に嵌るならば、突き刺し具（２）のスライドは出来なく、その先端が脚（３）の下端から突出することはない。
【００２１】
ここで、突き刺し具（２）を地面に突き刺す手段は自由であるが、脚立（１）を地面に起立した状態で操作部（１２）に足を掛けて踏むならば該突き刺し具（２）の先端部は地面に刺さることが出来る。
【００２２】
ところで、以上説明した実施例は脚立（１）を対象としているが、梯子の場合も同じである。そして三脚タイプの脚立の場合も同じように構成することが出来る。
【符号の説明】
【００２３】
１    脚立
２    突き刺し具
３    脚
４    踏み桟
５    脚体
６    地面
７    ツバ
８    穴
９    縦溝
１０  横溝
１１  Ｌ形溝
１２  操作部                                      ・  
【図１】
0003218359.tif 000003
【図２】
0003218359.tif 000004
【図３】
0003218359.tif 000005